(57)【要約】【課題】  突き出し窓又は片開き窓において、開閉の際に使用者は自分の手を室外に移動する必要がなく、手元で開閉操作が可能となる開口部装置を提供する。【解決手段】  建物開口部の縁に沿って設けられた枠材（１０）と、枠材内に配置された障子（２０）と、枠材と障子とを少なくとも１箇所で回動可能に連結する蝶番（３０）と、枠材の室外側端面より室内側で枠材に一部を取り付けられるとともに、他の一部を蝶番と離隔した位置の障子の框の室内側に取り付けられた開閉機構（５０）と、開閉機構に挿入及び引き出し可能に配置され、室内方向に延在する操作部材（５５）とを備え、操作部材を開閉機構に挿入及び引き出すことにより、障子を開閉するとともに、障子の開閉状態のいずれの姿勢においても操作部材の少なくとも一部が枠材の室外側端面より室内側にとどまることを特徴とする。【選択図】      図２
2006249728.tif 000002
【特許請求の範囲】
【請求項１】
建物開口部の縁に沿って設けられた枠材と、
前記枠材内に配置された障子と、
前記枠材と前記障子とを少なくとも１箇所で回動可能に連結する蝶番と、
前記枠材の室外側端面より室内側で前記枠材に一部を取り付けられるとともに、他の一部を前記蝶番と離隔した位置の前記障子の框の室内側に取り付けられた、開閉機構と、
前記開閉機構に挿入及び引き出し可能に配置され、室内方向に延在する操作部材と、
を備え、
前記操作部材を前記開閉機構に挿入及び引き出すことにより、前記障子が開閉するとともに、前記障子の開閉状態のいずれの姿勢においても前記操作部材の少なくとも一部が前記枠材の室外側端面より室内側にとどまることを特徴とする、開口部装置。
【請求項２】
前記操作部材が、前記開閉機構に挿入及び引き出し可能に配置されるとともに、水平方向に回動可能に取り付けられ、
前記障子の閉鎖位置で前記操作部材を室内外方向に直交する方向に向けることにより、前記障子の開閉を禁止し、前記操作部材を室内外方向に平行する方向に向けることにより前記障子の開閉を許容することを特徴とする請求項１に記載の開口部装置。
【発明の詳細な説明】
【技術分野】
【０００１】
本発明は、住宅や公共施設及びオフィス等の建物の開口部に好適に用いられる突き出し又は片開きの開口部装置に関する。
【背景技術】
【０００２】
近年、建物の洋風化がこれまで以上に進み、いわゆるモダンなデザインである洋風建物が増加している。このような洋風建物では建物の形そのものだけではなく、建物を構成する各要素の随所にも洋風なデザインが採用されてきている。
【０００３】
かかる洋風な建物の要素設計において建物の窓は重要な要素の１つである。建物に洋風でモダンな印象を与えるために小型のスリット窓や円形窓を採用する場合が増加しており、その要望も多岐に渡るようになってきている。このような小型のスリット窓や円形窓であっても、開閉を可能とし、換気ができるようにしたいというのもその要望の１つである。
【０００４】
従来においては、このような窓には突き出し窓や片開き窓と呼ばれる開閉方法が多く採用されていた。その開閉機構は、開口部装置の障子と枠材との少なくとも１箇所を蝶番で固定し、該蝶番を中心に回動可能に設置するものである。さらに、蝶番とは異なる位置の障子の框に把手やロック機構を配置し、使用者は該把手を室内外方向に引き寄せたり、押し出したりすることで、障子の開閉をするというものである。
【発明の開示】
【発明が解決しようとする課題】
【０００５】
しかし、従来の突き出し窓や方開き窓の開閉においては、上述のように使用者は障子を開けるとき、框に取り付けられた把手を室外へ押し出さなくてはならず、障子を閉めるときにも室外にある把手をつかむために室外へ手を伸ばしたり、場合によっては体ごと室外側へ乗り出さなくてはならないという問題があった。
【０００６】
また、開閉が可能である開口部装置の場合、外から害虫等の侵入を防ぐ目的で網戸を設置することが好ましい。突き出し窓や片開き窓の場合は、室外側へ障子が突き出すため、網戸を室外側へ取り付けることが困難である場合が多い。しかし室内側へ網戸を取り付けると、障子の開閉の度に網戸の開閉又は取り外しをしなくてはならず、使用者にとって非常に煩雑であるという問題もあった。
【０００７】
そこで、本発明は、突き出し窓又は片開き窓において、開閉の際に使用者は自分の手を室外に移動する必要がなく、手元で開閉操作が可能となる開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、建物開口部の縁に沿って設けられた枠材（１０）と、枠材内に配置された障子（２０）と、枠材と障子とを少なくとも１箇所で回動可能に連結する蝶番（３０）と、枠材の室外側端面より室内側で枠材に一部を取り付けられるとともに、他の一部を蝶番と離隔した位置の障子の框の室内側に取り付けられた開閉機構（５０）と、開閉機構に挿入及び引き出し可能に配置され、室内方向に延在する操作部材（５５）とを備え、操作部材を開閉機構に挿入及び引き出すことにより、障子が開閉するとともに、障子の開閉状態のいずれの姿勢においても操作部材の少なくとも一部が枠材の室外側端面より室内側にとどまることを特徴とする開口部装置（１００）を提供することにより前記課題を解決する。
【００１０】
請求項２に記載の発明は、請求項１に記載の開口部装置（１００）で、操作部材（５５）が、開閉機構（５０）に挿入及び引き出し可能に配置されるとともに、水平方向に回動可能に取り付けられ、障子（２０）の閉鎖位置で操作部材を室内外方向に直交する方向に向けることにより、障子の開閉を禁止し、操作部材を室内外方向に平行する方向に向けることにより障子の開閉を許容することを特徴とする。
【発明の効果】
【００１１】
請求項１の発明によれば、突き出しや片開きの開口部装置において、室内側に配置された操作部材を室内外の方向に押し引きすることにより障子の開閉ができるので、使用者は手元の操作のみで障子の開閉が可能となり、利便性の優れた開口部装置を提供することができる。
【００１２】
請求項２の発明によれば、障子の閉鎖位置において、室内側に突出した操作部材を開口部装置と平行になるように回動させることができ、室内空間を有効に利用することができる。また、該回動により、障子の開閉ができないようにロックをすることができ、さらに機能的な開口部装置となる。使用者は障子の閉鎖の操作に連続して開口部装置のロックが可能なので、利便性向上の効果も得ることができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。
【００１５】
図１は、第一実施形態にかかる開口部装置１００を備える建物１０００の外観を示す正面図である。建物１０００は、１階部分及び２階部分からなり、各階に開口部を有している。開口部には、１階部分においては玄関１５０や窓１６０が備えられ、２階部分にも窓１７０が備えられる。２階部分にはさらに小さめの窓が配置され、開口部装置１００が取り付けられる。開口部装置１００の開閉方式は換気を主目的としたいわゆる突き出し窓又は片開き窓である。図１においては比較的小さな窓に開口部装置１００を適用した例を示しているが、本発明の開口部装置はあらゆる大きさの窓に使用が可能である。また、建物の種類も住宅には限定されず、公共施設、オフィス及び店舗等の大型建物にも適用できる。
【００１６】
図２は、開口部装置１００を室内側から見た斜視図である。図２（Ａ）は障子２０が閉鎖されている場合、図２（Ｂ）は障子２０が開放されている場合を示している。開口部装置１００は、建物の開口部の縁に沿って取り付けられた枠材１０と、該枠材１０の内側に配置される障子２０と、枠材１０と障子２０を少なくとも１箇所で回動自由に連結する蝶番３０（図４及び図６参照）と、枠材１０の蝶番３０とは異なる位置に取り付けられた開閉機構５０とを備えており、開閉機構５０の第２操作部材５１を室内外方向へ押し引きすることにより、第２操作部材５１の移動に連動して障子２０が回動することにより開口部装置１００が開閉がする。従来の突き出し窓は開放するとき、框に取り付けられた把手を室外へ押し出さなければならず、閉鎖するときには室外の把手を引き寄せなければならなかったが、開口部装置１００によれば手元の操作のみで突き出し窓の開閉が可能となり、煩雑な操作を回避することができる。
【００１７】
図２においては下の枠材１０に開閉機構５０を取り付け、蝶番３０（図４及び図６参照）は上の枠材１０に取り付けたので、障子２０の下側が開くタイプの突き出し窓であるが、開閉機構及び蝶番の位置は変えることが可能なので、障子２０の上側が開くタイプの突き出し窓にもすることができる。また、左右いずれかの枠材に開閉機構及び蝶番を配置すれば片開き窓とすることができる。また、図２は矩形の開口部の四辺に枠材１０を配置した開口部装置１００なので、矩形の開口部装置１００となっているが、開口部が円形である場合にはその縁に沿って配置された円形の枠材に開閉機構及び蝶番を取り付けた円形の開口部装置としてもよい。
【００１８】
図３は、図２（Ａ）の状態における開閉機構５０の上面図である。内部の構造を適宜透視して破線で示している。図４は、図３のＡ−Ａで示した線の位置における断面を示した図である。図４においては開閉機構５０の他に枠材１０、障子２０等も同時に示している。図３及び図４では理解の容易のため、説明に不要の線や部材は適宜省略している。以下図３及び図４により開閉機構５０の構造を説明する。開閉機構５０は、枠材１０に固定された基体５２と、障子２０に取り付けられ、該障子２０の開閉をする第１操作部材５５と、使用者が操作し、室内外方向に押し引きする第２操作部材５１と、第１操作部材５５と第２操作部材５１とを連結する連結部材５４を主要部材として備えている。基体５２は、その下端を枠材１０の障子２０の室内側に固定されて取り付けられる。また、基体５２は、室内外方向に貫通した孔５２ａと、該孔５２ａの底面に円柱状の突起５３及び矩形の孔５２ｂを有している。孔５２ａには後述する第１操作部材５５、連結部材５４及び第２操作部材５１の一部が、その中を移動可能に挿入される。
【００１９】
第１操作部材５５は、略Ｌ字型の部材５５ａと部材５５ａのパネル２１に平行な部分の一端から室内側に延設された部材５５ｂを一体に備えている。部材５５ｂには、室内外方向に長軸を有する貫通した長孔５５ｃが設けられている。部材５５ａの部材５５ｂとは反対側の部分はパネル２１と框２２の間に挿入され、框２２に固定して取り付けられる。框２２とパネル２１とは固定して取り付けられているので、結果としてパネル２１、框２２及び第１操作部材５５は互いに固定して取り付けられることになる。
【００２０】
連結部材５４は、ピン５７を有する略水平の台形部材５４ａと、該台形部材５４ａの室内側の１辺から略鉛直に延設された部材５４ｂと、該部材５４ｂの台形部材５４ａとは反対の１辺から略水平に延設され貫通孔５４ｄを有する５４ｃとが一体に形成されている。台形部材５４ａに備えられたピン５７は前述の第１操作部材５５の長孔５５ｃ入れられており、これにより連結部材５４と第１操作部材５５とは回動可能に連結されている。また、連結部材５４の部材５４ｃに設けられた貫通孔５４ｄには、次に示す第２操作部材５１に備えられたピン５６が入れられており、これにより連結部材５４と第２操作部材５１とは回動可能に連結されている。
【００２１】
第２操作部材５１は、全体として棒状となっており、室外側方向約１／３の厚みが薄い部材５１ｂと、残り約２／３の厚板である部材５１ｃとが一体に形成されている。また、第２操作部材５１は、開口部装置１００の開閉操作時においては室内外方向に配置される。さらに部材５１ｂにはピン５６を備え、湾曲した形状の厚み方向に貫通した溝５１ｄを有している。また、部材５１ｃには底面から突起５３の高さよりも若干深い溝５１ｅが溝５１ｄに連続して部材５１ｃの長手方向に略平行に設けられている。溝５１ｄ及び溝５１ｅの幅は突起５３と同等か若干大きい。第２操作部材５１は、前述のように貫通孔５４ｄに入れられたピン５６によって連結部材５４と水平方向に回動可能に連結されている。
【００２２】
以上により、障子２０、第１操作部材５５、連結部材５４及び第２操作部材５１は連結され、第１操作部材５５と連結部材５４及び連結部材５４と第２操作部材５１は水平方向に回動可能となっている。そして連結された各部材は、枠材１０の室内側に固定された基体５２の貫通孔５２ａに挿入され、室内外方向に移動可能となっている。
【００２３】
また、第２操作部材５１の連結部材５４が連結されている端部とは反対の端部には、ツマミ５１ｆとロック部材５１ｇが設けられている。図４の破線で囲んだ部分については、説明のため、図３のＡ−Ａで示した部分の断面ではなく、第２操作部材５１を、図３の紙面左側から見た側面図を示した。ロック部材５１ｇは、その一部を第２操作部材５１の下側に突出させて配置される突出部５１ｈを備えている。ロック部材５１ｇは、図４で示した位置において下向きに付勢されて留まっている。そして、ツマミ５１ｆによる操作、又は突出部５１ｈを直接上方に押し上げることにより、突出部５１ｈを第２操作部材５１の中に隠すように移動させることができる。ロック部材５１ｇの水平方向の位置は図３の姿勢において、基体５２の孔５２ｂと室内外方向に同一線上にある。さらに、ツマミ５１ｆを備えた側の端部は、図４に示したように、第２操作部材５１の他の部分に比べて上下方向に厚い形状を有している。これは、基体５２の貫通孔５２ａの上下方向の大きさよりも厚くなるように形成されている。
【００２４】
次に、実際に開口部装置１００の障子２０を開放したときにおける各部材の状態を示す。図５は、障子２０を開放した状態の１場面における開口部装置１００の開閉機構５０の上面図である。図６は図５のＢ−Ｂで示した線の位置における断面を示した図である。ただし図６の破線で囲んだ部分については、図３及び図４と同じように、図５の紙面左側から見た、第２操作部材５１の側面図である。図５及び図６は、図３及び図４の状態から第２操作部材５１を図５及び図６中に示した直線の矢印方向に操作したときにおける開口部装置１００の各部材の状態を示している。第２操作部材５１を室外側方向へ押し込むことにより、第２操作部材５１、連結部材５４、第１操作部材５５及び下側の框２２が室外側へ移動する。これに連動して障子２０が蝶番３０を中心に回動して開口部装置１００は開放される。図５及び図６の状態からさらに開口部装置１００を開放するためには、第２操作部材５１をさらに室外方向へ押し込む操作をする。すると、ロック部材５１ｇの突出部５１ｈは、室外側に傾斜部を有しているので、基体５２の貫通孔５２ａの底面によって押し上げられるとともに、該貫通孔５２ａに入り、第２操作部材５１の移動に追随して室外側へ移動する。さらに第２操作部材５１を押し込む操作を続けると、突出部５１ｈが孔５２ｂの位置に達する。このとき突出部５１ｈは下方へ付勢されているので、突出部５１ｈが孔５２ｂの中へ飛び出す。すると、突出部５１ｈの室内側端部は傾斜を有していないので、第２操作部材５１を室内側へ引き戻そうとしても、突出部５１ｈが、孔５２ｂに引っかかる。これにより第２操作部材５１は室内側へ引き戻すことができなくなる。また、さらに室外側へ操作しようとしても、第２操作部材５１は室内側端部が厚く形成されているので、第２操作部材５１が基体５２の貫通孔５２ａに入ることができないため、押し込むことができない。以上により、第２操作部材５１は、室内外方向へ移動不可能となり、開口部装置１００は開放された状態でロックされる。
【００２５】
逆に障子２０を閉める場合は、ツマミ５１ｆを操作し、突出部５１ｈを第２操作部材５１の中へ隠すように移動することにより、ロックは解除される。ツマミ５１ｆを操作することにより突出部５１ｈを上方に移動する方法は、考えられる通常の機構が適用可能である。例えば、「てこ」のように軸を備え、「てこ」の一端にツマミ５１ｆ、他端に突出部５１ｈを配置して、ツマミ５１ｆを下方に押すことにより、突出部５１ｈが上昇する、といった機構が挙げられる。ロックが解除された状態で、第２操作部材５１を室内方向に引き寄せることにより障子２０は閉まり、開口部装置１００を閉鎖することができる。このとき、連結部材５４のピン５７は、室内外方向に長軸を有する長孔５５ｃに挿入されているので、障子２０の開閉にともなう第１操作部材５５の角度変化は、ピン５７と長孔５５ｃとの隙間により吸収され、連結部材５４及び第２操作部材５１は常に水平が維持される。
【００２６】
次に第２操作部材５１の折りたたみ機構及びロック機能について説明する。上述のように、障子の閉鎖位置において、室内側に突出した第２操作部材５１が室内空間を制限してしまう場合がある。そこで第２操作部材５１を開口部装置１００と平行になるように回動させ、室内空間を有効に利用することができるようにした。また、同時に障子２０の開閉ができないようにロックをすることもできる。これにより使用者は障子の閉鎖の操作に連続して開口部装置のロックが可能となるので利便性が向上する。
【００２７】
図７は第２操作部材５１を水平方向にピン５６を中心に回動させている途中の１場面における開閉機構５０の上面図、図８は第２操作部材５１を開口部装置１００に平行に配置したときの開閉機構５０の上面図である。図７及び図８では開閉機構５０を適宜透視して内部の構造を破線で示している。第２操作部材５１の回動操作は、障子２０の閉鎖状態である図３の状態から第２操作部材５１をピン５６を中心に回動させることによりおこなう。図３の状態にあった第２操作部材５１をピン５６を中心に図７の矢印の方向に回動させると、今まで溝５１ｄの直線部の端部に突起５３が配置される位置であった第２操作部材５１は、溝５１ｄの湾曲部分に位置するように移動する。ここで突起５３は基体５２に固定されているため動かないので、ハンドル５１が移動する。このとき図７におけるピン５６と突起５３との距離は、図３におけるピン５６と突起５３との距離よりも短く、さらに突起５３は動くことができないので、結果としてピン５６が室内側に引き寄せられることになる。ピン５６が室内側へ引き寄せられると、連結部材５４、第１操作部材５５及び障子２０が室内側へ引き寄せられる。従って、この操作により、確実に障子２０が、枠材１０の中に納まり、閉鎖される。図７の状態から引き続き第２操作部材５１を回動し、図８の状態にすることによりさらに確実に障子２０の閉鎖が完了する。これにより第２操作部材５１は、開口部装置１００に平行に配置されるため、第２操作部材５１の室内側への突出を小さくすることができる。さらに、第２操作部材５１が室内外方向へ移動することができなくなるため、障子２０の開閉もできなくなる。障子２０の開閉を可能にするには逆に第２操作部材５１を回動し、室内外方向に平行に配置すればよい。このときの操作は、棒状である第２操作部材５１の回転半径を利用して操作するので、モーメントの作用により、第２操作部材５１は小さな力で回動可能となり、使用者の負担を軽減することができる。
【００２８】
図９は開口部装置１００を変形した例を示す室内側からの斜視図である。図１で示した開口部装置１００は、第２操作部材５１が上方から見て反時計回りの方向にしか回動できない。しかし、図９に示した変形例においては、第２操作部材５１の溝５１ｄ、５１ｅ等を長手方向の軸に対して左右対称とすることにより、第２操作部材５１が時計回り及び反時計回りのいずれにも回動可能となる。
【００２９】
図１０は、第二実施形態にかかる開口部装置５００の室内側からの斜視図である。開口部装置５００では、開口部装置１００に加えて網戸５７０を備えている。開口部装置においては開閉が可能である場合、外からの害虫等の侵入を防ぐ目的で網戸５７０を設置することが好ましい。突き出し窓や片開き窓の場合は、室外側へ障子が突き出すため、網戸を室外側へ取り付けることが困難である場合が多い。しかし室内側へ網戸を取り付けると、開口部装置の開閉の度に網戸の開閉又は取り外しをしなくてはならず使用者は非常に煩雑である。そこで開口部装置５００を使用することにより、障子の開閉を手元の操作ですることが可能となった。従って、網戸５７０を室内側における開口部全体に配置しても開閉機構５５０を操作できるようにしておけば、網戸５７０の操作をする必要がなくなり、使用者の利便性を大幅に向上することができる。
【００３０】
上述した実施形態においては下の枠材に開閉機構を取り付け、蝶番は上の枠材に取り付けたので、下側が開くタイプの突き出し窓となっているが、開閉機構及び蝶番の位置を変えることが可能なので、上側が開くタイプの突き出し窓にもすることができる。また、左右のいずれかの枠材に開閉機構及び蝶番を配置すれば片開き窓とすることができる。また、開口部装置の形は矩形の開口部の四辺に枠材を配置した開口部装置である必要はなく、開口部が円形である場合にはその縁に沿って配置された円形の枠材に開閉機構及び蝶番を取り付けた円形の開口部装置としてもよい。
【００３１】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００３２】
【図１】本発明の開口部装置が使用される１つの実施形態にかかる建物の外観を示す正面図である。
【図２】第一実施形態にかかる開口部装置を室内側斜視図である。
【図３】図２（Ａ）の状態における開閉機構の上面図である。
【図４】図３のＡ−Ａで示した線の位置における断面を示した図である。
【図５】開いた状態の１場面における開口部装置を開閉機構の上面図である。
【図６】図５のＢ−Ｂで示した線の位置における断面を示した図である。
【図７】第２操作部材を回動させている途中の１場面における開閉機構の上面図である。
【図８】第２操作部材が開口部装置に平行に配置されたときの開閉機構の上面図である。
【図９】第一実施形態にかかる開口部装置の変形例を示す外観斜視図である。
【図１０】第二実施形態にかかる開口部装置の室内側斜視図である。
【符号の説明】
【００３３】
１０  枠材
２０  障子
２１  ガラスパネル
２２  框
３０  蝶番
５０  開閉機構
５１  第２操作部材
５２  基体
５４  連結部材
５５  第１操作部材
１００  開口部装置
１５０  玄関
２００  建物室外側壁
２０１  建物室内側壁
１０００  建物
【図１】
2006249728.tif 000003
【図２】
2006249728.tif 000004
【図３】
2006249728.tif 000005
【図４】
2006249728.tif 000006
【図５】
2006249728.tif 000007
【図６】
2006249728.tif 000008
【図７】
2006249728.tif 000009
【図８】
2006249728.tif 000010
【図９】
2006249728.tif 000011
【図１０】
2006249728.tif 000012